(57)【要約】【課題】  簡単な構造で、使用者が腰掛けた状態で足裏の土踏まず部を指圧できるようにした足載せ台を提供する。【解決手段】  左右の両足裏Ｈ，Ｈを載せ得る面積を有する板材からなるベース本体１を備えた足載せ台において、前記ベース本体１の上面における左右に離間した２位置に、前記両足裏Ｈ，Ｈの各土踏まず部Ｈ1，Ｈ1の面積程度であって該土踏まず部Ｈ1，Ｈ1の深さよりやや高い程度の大きさの隆起部２，２をそれぞれ設けて、使用者が腰掛けた状態でも、両足裏Ｈ，Ｈの土踏まず部Ｈ1，Ｈ1に対して指圧効果を発揮することができるようにしている。【選択図】  図１
0003154311.tif 000002
【実用新案登録請求の範囲】
【請求項１】
左右の両足裏を載せ得る面積を有する板材からなるベース本体を備えた足載せ台であって、前記ベース本体の上面における左右に離間した２位置には、前記両足裏の各土踏まず部の面積程度であって該土踏まず部の深さよりやや高い程度の大きさの隆起部をそれぞれ設けたことを特徴とする足載せ台。
【請求項２】
前記ベース本体の下面における４隅付近に小高さの脚部をそれぞれ設けていることを特徴とする請求項１記載の足載せ台。
【請求項３】
前記各脚部のうちの少なくとも前側の２つあるいは後側の２つを高さ調節自在としたことを特徴とする請求項２記載の足載せ台。
【考案の詳細な説明】
【技術分野】
【０００１】
本願考案は、足載せ台に関し、さらに詳しくは、腰掛けた状態で足裏（特に、土踏まず部）に対して指圧効果を発揮できる足載せ台に関するものである。
【背景技術】
【０００２】
従来から、足裏への指圧効果を期待できる器具として、例えば竹踏み式の指圧器具がある。この竹踏み式の指圧器具では、床面に載置された半筒状の足踏み台上に両足（特に土踏まず部分）を載せて立上がり、歩行する要領で足踏み台を交互に踏みつけるようにして使用する。
【０００３】
又、公知の特許文献の中には、例えば実用新案第３０１５８２３号公報（特許文献１）に示されるように、ベース本体上面に一対の板バネを設け、該板バネの揺動側と前記ベース本体との間に調整用バネを介設するとともに、前記板バネの揺動側に作動台をそれぞれ設けたものが知られている。そして、この指圧器具は、前記作動台に足を載せ、板バネの反発力で指圧効果を期待することとなっている。
【先行技術文献】
【特許文献】
【０００４】
【特許文献１】実用新案第３０１５８２３号公報
【考案の概要】
【考案が解決しようとする課題】
【０００５】
ところで、上記した竹踏み式の指圧器具では、人が立った状態で足踏み台を両足で交互に踏みつけるものであり、長時間に亘っての使用には不向きであった。
【０００６】
又、上記特許文献１に開示されている指圧器具の場合は、板バネの揺動側に設けられた作動台に足を載せて使用することとなっているため、足を載せた状態が不安定になるところから、腰掛けた状態で足裏（特に、土踏まず部）に対して指圧効果を発揮できる足載せ台としては、使用者が落ち着いて使用することが難しいという不具合があるとともに、板バネや調整用バネが必要となり、構造的に複雑となるという不具合もある。
【０００７】
本願考案は、上記の点に鑑みてなされたもので、簡単な構造で、使用者が腰掛けた状態で落ち着いて使用できる足載せ台を提供することを目的とするものである。
【課題を解決するための手段】
【０００８】
本願考案は、上記課題を解決するための手段として、次の構成を有している。
【０００９】
本願考案は、左右の両足裏を載せ得る面積を有する板材からなるベース本体を備えた足載せ台を対象にしている。
【００１０】
そして、本願考案の足載せ台には、前記ベース本体の上面における左右に離間した２位置に、左右の両足裏の各土踏まず部の面積程度であって該土踏まず部の深さよりやや高い程度の大きさの隆起部をそれぞれ設けている。
【００１１】
本願考案の足載せ台では、上記の構成により、使用者が腰掛けた状態で（例えばデスクワークをしながら）両足裏の土踏まず部をベース本体上の各隆起部に載せることができ、長時間に亘ってリラックスした状態で両土踏まず部に対する指圧効果を期待することができる。
【００１２】
又、本願考案では、ベース本体の下面における４隅付近に、それぞれ小高さの脚部を設けることができる。このように、ベース本体の下面に脚部を設けると、ベース本体と床面との間に隙間ができるので、ベース本体の下方の風通しがよくなる。
【００１３】
さらに、本願考案では、ベース本体下面の４隅付近にそれぞれ脚部を設けたものにおいて、少なくとも前側の２つの脚部あるいは後側の２つの脚部を高さ調節自在とすることもできる。このように構成した場合は、前側の２つの脚部あるいは後側の２つの脚部を高さ調節することにより、ベース本体の上面の傾斜角度を自在に調節することが可能となる。
【考案の効果】
【００１４】
本願考案の足載せ台は、左右の両足裏を載せ得る面積を有したベース本体の上面における左右に離間した２位置に、両足裏の各土踏まず部の面積程度であって該土踏まず部の深さよりやや高い程度の大きさの隆起部をそれぞれ設けて構成している。
【００１５】
従って、本願考案の足載せ台は、使用者が腰掛けた状態（リラックスした状態）で、両足裏の土踏まず部に対して指圧効果を発揮することができるとともに、腰掛けた状態で使用できるので長時間に亘る使用が可能であるという効果がある。又、この足載せ台では、ベース本体の上面に隆起部を設けたという簡単な構造であるので、安価に製作できるという効果もある。
【００１６】
又、ベース本体の下面の４隅付近にそれぞれ脚部を設けると、ベース本体の下方の風通しが良好となり、足裏が接触することにより足裏体温で暖められたベース本体の熱がその下面側からも放熱されることとなり、ベース本体に対する冷却効果が期待できる。
【００１７】
さらに、各脚部のうち、前側の２つあるいは後側の２つを高さ調節自在にしたものでは、簡単な操作でベース本体の上面の傾斜角度を使用者の好みの角度に調節することができる。
【図面の簡単な説明】
【００１８】
【図１】図１は、本願考案の実施例にかかる足載せ台の平面図である。
【図２】図２は、図１のII−II断面図である。
【図３】図３は、本願考案の実施例にかかる足載せ台の斜視図である。
【考案を実施するための形態】
【実施例】
【００１９】
以下、本願考案の実施例を図面を参照して説明すると、図１〜図３には、本願実施例の足載せ台が示されている。
【００２０】
この足載せ台は、左右の両足裏Ｈ，Ｈを載せ得る面積を有する矩形形状の板材からなるベース本体１を備えて構成されている。又、ベース本体１の上面における左右に離間した２位置には、両足裏Ｈ，Ｈの各土踏まず部Ｈ1の面積程度であって該土踏まず部Ｈ1の深さよりやや高い程度の大きさの隆起部２，２がそれぞれ設けられている。
【００２１】
ベース本体１の面積は、特に限定するものではないが、前後幅が２０〜２５cm程度で左右幅が３０〜４０cm程度が適当である。又、ベース本体１の材料としては、合成樹脂材料が一般的であるが、木材や金属板も使用可能である。尚、ベース本体１を合成樹脂材料で形成したものでは、左右の各隆起部２，２をベース本体１に一体成形することが可能である。
【００２２】
両隆起部２，２の大きさは、特に限定するものではないが、前後長さが１０cm程度で左右幅が５cm程度の平面視楕円形で、３〜４cm程度の高さを有したものである。そして、この両隆起部２，２は、ベース本体１上における左右各端部寄りに設けている。尚、この各隆起部２，２の設置位置は、使用者が腰掛けた状態で両足裏Ｈ，Ｈを自然にベース本体１の上面に載せたときに該両足裏Ｈ，Ｈの各土踏まず部Ｈ1，Ｈ1が位置する部分である。
【００２３】
この各隆起部２，２は、上記のように３〜４cm程度の高さを有しており、該各隆起部２，２上にそれぞれ土踏まず部Ｈ1，Ｈ1を載せたときには、土踏まず部以外の足裏部分がベース本体１の上面から離間するようになり、該各土踏まず部Ｈ1が確実に各隆起部２上に圧接するようになる。
【００２４】
各隆起部２，２の内側部分には、それぞれ外側に向けて陥入する凹部２ａが形成されている。この凹部２ａは、足のかかと部分を載せたときに足が位置ずれしないようにするためのものである。
【００２５】
ベース本体１には、その前側中央部に指差込み穴４が穿設されている。この指差込み穴４は、この足載せ台を持ち運ぶときの取手穴となるものである。
【００２６】
ベース本体１の上面には、隆起部２，２及び指差込み穴４を除く部位に人工芝５が敷設されている。この人工芝５は、足裏をベース本体１に載せた時に土踏まず部以外の足裏部分に軽く接触して柔らかい感触を付与するものである。又、このように人工芝５では、柔軟な多数の小突起間に空気が流通するので、ベース本体１上に載せた足裏が蒸れないという機能もある。
【００２７】
尚、他の実施例では、ベース本体１の上面に、上記人工芝５に代えて多数の小凸部を散在させた状態で設けることもでき、その場合もベース本体１上に載せた足裏が蒸れにくくなる。
【００２８】
ベース本体１の下面には、その４隅付近に矩形形状のボス６，６・・が一体に突設されており、該ボス６，６・・には、小高さの脚部７，７・・がそれぞれ設けられている。この各脚部７，７・・は、床面Ｆに接地する円盤形状の接地部８と、該接地部８の中心から立設され且つ前記ボス６に螺合されるネジ９とからなっており、各脚部７は、ネジ９の螺合度により高さ調節自在とされている。尚、他の実施例では、４つの脚部７，７・・のうちの少なくとも前側の２つのみあるいは後側の２つのみを高さ調節自在とすることもできる。
【００２９】
この実施例の足載せ台では、次のような機能がある。
【００３０】
まず、この足載せ台は、使用者が腰掛けた状態（リラックスした状態）で、両足裏Ｈ，Ｈの各土踏まず部Ｈ1をそれぞれ隆起部２，２上に載せることができるので、長時間に亘って（腰掛けた状態で）土踏まず部Ｈ1に対する指圧効果を発揮することができるとともに、ベース本体１の上面に隆起部を設けたという簡単な構造であるので、安価に製作できる。
【００３１】
又、ベース本体１の下面の４隅付近にそれぞれ脚部７，７・・を設けているので、ベース本体１の下方の風通しが良好となり、足裏体温で暖められたベース本体１の熱がその下面側からも放熱されることとなり、ベース本体１に対する冷却効果が期待できる。
【００３２】
さらに、各脚部７，７・・を高さ調節自在にしているので、簡単な操作でベース本体の上面の傾斜角度を使用者の好みの角度に調節することができる。
【００３３】
又、ベース本体１の上面に人工芝５を敷設していると、足裏に肌触りが良好となり、しかも足裏が直にベース本体上面に接触する場合のように足裏が蒸れない。
【００３４】
尚、本願考案は、上記実施例に限定されるものではなく、考案の要旨を逸脱しない範囲において、適宜設計変更可能なことは勿論である。
【符号の説明】
【００３５】
１はベース本体、２は隆起部、７は脚部、９はネジ、Ｈは足裏、Ｈ1は土踏まず部である。
【図１】
0003154311.tif 000003
【図２】
0003154311.tif 000004
【図３】
0003154311.tif 000005